(57)【要約】【課題】  シングルコンバージョン方式を用いて放送信号を選局時、地上波放送及びケーブル放送の受信感度の満足させることができるチューナーを提供する。【解決手段】  本発明は、選択されたチャンネルの放送信号を選局するチューナー及びこれを含む放送処理装置に関し、本発明のチューナーは、受信される放送信号を所定の周波数帯域に基づいて複数の周波数領域にフィルターリングして出力する入力フィルター部と；前記出力される各周波数領域内の信号によって誘導される同位相を有する第２信号及び反転位相を有する第１信号をそれぞれ増幅し、前記増幅された第１信号及び第２信号によって誘導される信号を、前記各周波数領域内の前記信号に対する増幅信号として出力する増幅部と；前記増幅部から出力される前記増幅信号のうちの前記選択されたチャンネルに該当する放送信号の周波数をフィルターリングする段間フィルター部と；前記段間フィルター部でフィルターリングされた前記周波数の放送信号を変換する変換部とを含む。【選択図】      図３
2007020172.tif 000002
【特許請求の範囲】
【請求項１】
選択されたチャンネルの放送信号を選局するチューナーにおいて、
受信される放送信号を所定の周波数帯域に基づいて複数の周波数領域にフィルターリングして出力する入力フィルター部と；
前記出力される各周波数領域内の信号によって誘導される同位相を有する第２信号及び反転位相を有する第１信号をそれぞれ増幅し、前記増幅された第１信号及び第２信号によって誘導される信号を、前記各周波数領域内の前記信号に対する増幅信号として出力する増幅部と；
前記増幅部から出力される前記増幅信号のうち、前記選択されたチャンネルに該当する放送信号の周波数をフィルターリングする段間フィルター部と；
前記段間フィルター部でフィルターリングされた前記周波数の放送信号を変換する変換部とを含むことを特徴とするチューナー。
【請求項２】
前記増幅部は、
前記出力される各周波数領域内の信号によって誘導される同位相を有する第２信号及び反転位相を有する第１信号をそれぞれ増幅し、前記増幅された第１及び第２信号によって誘導される信号を、前記各周波数領域内の前記信号に対する増幅信号として出力するプッシュ−プル回路部を含むことを特徴とする請求項１に記載のチューナー。
【請求項３】
前記プッシュ−プル回路部は、
前記複数の周波数領域内の信号を１次側に印加を受け、前記１次側に印加される前記信号によって誘導される同位相を有する第２信号及び反転位相を有する第１信号を２次側に出力する第１トランスフォーマーと、前記第１信号をゲート端に入力を受け所定の増幅度によって前記第１信号を増幅して出力する第１ＦＥＴ（電界効果トランジスタ）と、前記第２信号をゲート端に入力を受け所定の増幅度によって前記第２信号を増幅して出力する第２ＦＥＴと、前記増幅された第１信号及び第２信号を１次側に印加を受け前記１次側に印加される前記増幅された第１信号及び第２信号によって誘導される信号を２次側に出力する第２トランスフォーマーとを含むことを特徴とする請求項２に記載のチューナー。
【請求項４】
前記第１ＦＥＴと前記第２ＦＥＴは、
前記所定の増幅度を調整するための所定の制御信号の入力を受けるための第２ゲート端を含むデュアルゲートＦＥＴであることを特徴とする請求項３に記載のチューナー。
【請求項５】
前記変換部は、
前記段間フィルター部でフィルターリングされた前記周波数の放送信号を所定の変換設定値によってＩＦ（中間周波数）信号に変換し、前記変換されるＩＦ信号が固定周波数を有するように、前記第１ＦＥＴ及び前記第２ＦＥＴを制御するためのＡＧＣ（自動利得制御）信号を前記第２ゲート端に出力することを特徴とする請求項４に記載のチューナー。
【請求項６】
前記入力フィルター部は、
受信される放送信号を所定の周波数帯域に基づいてＶＨＦＬ（Ｖｅｒｙ  Ｈｉｇｈ  Ｆｒｅｑｕｅｎｃｙ  Ｌｏｗ）領域をフィルターリングするＶＨＦＬフィルターと、ＶＨＦＨ（Ｖｅｒｙ  Ｈｉｇｈ  Ｆｒｅｑｕｅｎｃｙ  Ｈｉｇｈ）領域をフィルターリングするＶＨＦＨフィルターと、ＵＨＦ（Ｕｌｔｒａ  Ｈｉｇｈ  Ｆｒｅｑｕｅｎｃｙ）領域をフィルターリングするＵＨＦフィルターとを含むことを特徴とする請求項５に記載のチューナー。
【請求項７】
前記増幅部は、
前記ＶＨＦＬフィルターから出力される信号を前記第１トランスフォーマーの１次側に印加を受ける前記プッシュ−プル回路部を含む第１プッシュプル増幅部と、前記ＶＨＦＨフィルターから出力される信号を前記第１トランスフォーマーの１次側に印加を受ける前記プッシュ−プル回路部を含む第２プッシュプル増幅部と、前記ＵＨＦフィルターから出力される信号を前記第１トランスフォーマーの１次側に印加を受ける前記プッシュ−プル回路部を含む第３プッシュプル増幅部とを含むことを特徴とする請求項６に記載のチューナー。
【請求項８】
放送信号を受信することができる放送処理装置において、
前記請求項１のチューナーと；
前記チューナーから出力される放送信号を処理する処理部と；
前記処理部から出力される前記放送信号を出力する放送出力部とを含むことを特徴とする放送処理装置。
【請求項９】
放送信号を受信することができる放送処理装置において、
前記請求項２のチューナーと；
前記チューナーから出力される放送信号を処理する処理部と；
前記処理部から出力される前記放送信号を出力する放送出力部とを含むことを特徴とする放送処理装置。
【請求項１０】
放送信号を受信することができる放送処理装置において、
前記請求項３のチューナーと；
前記チューナーから出力される放送信号を処理する処理部と；
前記処理部から出力される前記放送信号を出力する放送出力部とを含むことを特徴とする放送処理装置。
【請求項１１】
放送信号を受信することができる放送処理装置において、
前記請求項４のチューナーと；
前記チューナーから出力される放送信号を処理する処理部と；
前記処理部から出力される前記放送信号を出力する放送出力部とを含むことを特徴とする放送処理装置。
【請求項１２】
放送信号を受信することができる放送処理装置において、
前記請求項５のチューナーと；
前記チューナーから出力される放送信号を処理する処理部と；
前記処理部から出力される前記放送信号を出力する放送出力部とを含むことを特徴とする放送処理装置。
【請求項１３】
放送信号を受信することができる放送処理装置において、
前記請求項６のチューナーと；
前記チューナーから出力される放送信号を処理する処理部と；
前記処理部から出力される前記放送信号を出力する放送出力部とを含むことを特徴とする放送処理装置。
【請求項１４】
放送信号を受信することができる放送処理装置において、
前記請求項７のチューナーと;
前記チューナーから出力される放送信号を処理する処理部と；
前記処理部から出力される前記放送信号を出力する放送出力部とを含むことを特徴とする放送処理装置。
【発明の詳細な説明】
【技術分野】
【０００１】
本発明は、チューナー及びこれを含む放送処理装置に関し、より詳しくは、シングルコンバージョン方式を用いて放送信号の選局時、地上波放送及びケーブル放送の受信感度いずれも満足させることができるチューナー及びこれを含む放送処理装置に関する。
【背景技術】
【０００２】
従来の３バンド構造を有するシングルコンバージョン方式のチューナーは、図１に示されているように、受信される放送信号をＶＨＦ  ＬＯＷ領域の周波数領域を帯域制限させるＶＨＦＬフィルター１と、ＶＨＦ  ＨＩＧＨ領域の周波数領域を帯域制限させるＶＨＦＨフィルター２と、ＵＨＦ領域の周波数領域を帯域制限させるＵＨＦフィルター３とを有する入力同調フィルター部４と、それぞれのＶＨＦＬフィルター１、ＶＨＦＨフィルター２、ＵＨＦフィルター３から出力される信号を所定の増幅度によって増幅させる複数のＭＯＳＦＥＴ（Ｆ１、Ｆ２、Ｆ３）を含む信号増幅部５と、信号増幅部５から出力される増幅された信号のうち、希望するチャンネルに該当する放送信号の周波数をフィルターリングして出力する段間同調フィルター部９と、段間同調フィルター部９から出力される信号を所定のＩＦ信号に変換する信号変換部１０とを含む。
【０００３】
このような従来のシングルコンバージョン方式のチューナーは、入力同調フィルター部４及び段間同調フィルター部９がトラッキングフィルター構造で構成されて、チャンネル間の信号の強さの偏差がひどい環境で希望するチャンネルの歪曲が比較的少なく、雑音指数特性に優れて、地上波放送信号の受信に適合した構造である。
【０００４】
一方、ケーブル放送の環境は、地上波放送の環境に比べて非常に多い信号が存在する。つまり、ケーブル放送環境で前記のシングルコンバージョン方式のチューナーを使用する場合、信号増幅部５に該当するＭＯＳＦＥＴ（Ｆ１、Ｆ２、Ｆ３）の非線形特性のため、信号増幅時に発生するハーモニックス成分の排除能力が劣っていて、信号の歪曲が生じて画面が割れて見える場合が発生する。
【０００５】
そのため、一般的にケーブル放送環境では、信号増幅時のハーモニックス成分の排除能力に優れたダブルコンバージョン方式のチューナー（図示せず）を使用している。しかし、従来のダブルコンバージョン方式のチューナー（図示せず）は、ハーモニックス成分の排除能力に優れている反面、雑音指数の特性が落ちて、地上波アナールログ放送の受信時に画質を落すという短所を有し、製品の値段がシングルコンバージョン方式のチューナーに比べて高い。
【発明の開示】
【発明が解決しようとする課題】
【０００６】
本発明の目的は、シングルコンバージョン方式を用いて放送信号を選局時、地上波放送及びケーブル放送の受信感度いずれも満足させることができるチューナーを提供することにある。
【課題を解決するための手段】
【０００７】
上記目的は、選択されたチャンネルの放送信号を選局するチューナーにおいて、
受信される放送信号を所定の周波数帯域に基づいて複数の周波数領域にフィルターリングして出力する入力フィルター部と；前記出力される各周波数領域内の信号によって誘導される同位相を有する第２信号及び反転位相を有する第１信号をそれぞれ増幅し、前記増幅された第１信号及び第２信号によって誘導される信号を、前記各周波数領域内の前記信号に対する増幅信号として出力する増幅部と；前記増幅部から出力される前記増幅信号のうち、前記選択されたチャンネルに該当する放送信号の周波数をフィルターリングする段間フィルター部と；前記段間フィルター部でフィルターリングされた前記周波数の放送信号を変換する変換部とを含むことを特徴とするチューナーによって達成される。
【０００８】
ここで、前記増幅部は、前記出力される各周波数領域内の信号によって誘導される同位相を有する第２信号及び反転位相を有する第１信号をそれぞれ増幅し、前記増幅された第１及び第２信号によって誘導される信号を、前記各周波数領域内の前記信号に対する増幅信号として出力するプッシュ−プル回路部を含むことが好ましい。
【０００９】
また、前記プッシュ−プル回路部は、前記複数の周波数領域内の信号を１次側に印加を受け、前記１次側に印加される前記信号によって誘導される同位相を有する第２信号及び反転位相を有する第１信号を２次側に出力する第１トランスフォーマーと、前記第１信号をゲート端に入力を受け、所定の増幅度によって前記第１信号を増幅して出力する第１ＦＥＴと、前記第２信号をゲート端に入力を受け、所定の増幅度によって前記第２信号を増幅して出力する第２ＦＥＴと、前記増幅された第１信号及び第２信号を１次側に印加を受け、前記１次側に印加される前記増幅された第１信号及び第２信号によって誘導される信号を２次側に出力する第２トランスフォーマーとを含むことが好ましい。
【００１０】
ここで、前記第１ＦＥＴと前記第２ＦＥＴは、前記所定の増幅度を調整するための所定の制御信号の入力を受けるための第２ゲート端を含むデュアルゲートＦＥＴであることが好ましい。
【００１１】
ここで、前記変換部は、前記段間フィルター部でフィルターリングされた前記周波数の放送信号を所定の変換設定値によってＩＦ信号に変換し、前記変換されるＩＦ信号が固定周波数を有するように、前記第１ＦＥＴ及び前記第２ＦＥＴを制御するためのＡＧＣ信号を前記第２ゲート端に出力することが好ましい。
【００１２】
ここで、前記入力フィルター部は、受信される放送信号を所定の周波数帯域に基づいてＶＨＦＬ領域をフィルターリングするＶＨＦＬフィルターと、ＶＨＦＨ領域をフィルターリングするＶＨＦＨフィルターと、ＵＨＦ領域をフィルターリングするＵＨＦフィルターとを含むことが好ましい。
【００１３】
ここで、前記増幅部は、前記ＶＨＦＬフィルターから出力される信号を前記第１トランスフォーマーの１次側に印加を受ける前記プッシュ−プル回路部を含む第１プッシュプル増幅部と、前記ＶＨＦＨフィルターから出力される信号を前記第１トランスフォーマーの１次側に印加を受ける前記プッシュ−プル回路部を含む第２プッシュプル増幅部と、前記ＵＨＦフィルターから出力される信号を前記第１トランスフォーマーの１次側に印加を受ける前記プッシュ−プル回路部を含む第３プッシュプル増幅部とを含むことが好ましい。
【００１４】
一方、上記目的は、本発明の他の分野によれば、放送信号を受信することができる放送処理装置において、前記請求項１乃至７のうちのいずれか一項のチューナーと；前記チューナーから出力される放送信号を処理する処理部と；前記処理部から出力される前記放送信号を出力する放送出力部とを含むことを特徴とする放送処理装置によって達成される。
【発明の効果】
【００１５】
本発明による放送処理装置は、安価で、地上波放送信号の受信に適合した構造であるシングルコンバージョン方式を支援しながら、信号増幅時に増幅部２０の機能を通じて２次ハーモニックス成分を相殺させることで増幅の線形特性を改善することができるチューナー５０を含むことによって、地上波放送及びケーブル放送の受信感度いずれも満足させることができ、また、製品コストを節減することができる。
【発明を実施するための最良の形態】
【００１６】
以下、添付図面を参照して、本発明について詳細に説明する。
【００１７】
図２は本発明によるチューナーの制御ブロック図である。本図面に示されているように、本発明によるチューナーは、受信される放送信号を所定の周波数帯域に基づいて複数の周波数領域にフィルターリングして出力する入力フィルター部１５と、前記出力される各周波数領域内の信号によって誘導される元の位相を有する第２信号及び前記第２信号の反転位相を有する第１信号をそれぞれ増幅し、前記増幅された第１信号及び第２信号によって誘導される信号を、前記複数の周波数領域内の前記信号に対する増幅信号として出力する増幅部２０と、増幅部２０から出力される前記増幅信号のうち、選択されたチャンネルに該当する放送信号の周波数をフィルターリングする段間フィルター部３０と、段間フィルター部３０でフィルターリングされた前記周波数の放送信号を変換する変換部４０とを含む。
【００１８】
入力フィルター部１５は、受信される放送信号のうち、選択されるチャンネルの放送信号の選局時にチャンネルの歪曲を最小化するために、所定の周波数帯域に基づいて受信される前記放送信号の周波数領域を分割する。このような周波数領域の分割のために、入力フィルター部１５は、受信される放送信号を所定の周波数帯域に基づいてＶＨＦＬ領域をフィルターリングして、ＶＨＦ  ＬＯＷ領域の周波数領域を帯域制限させるＶＨＦＬフィルター１１と、ＶＨＦＨ領域をフィルターリングして、ＶＨＦ  ＨＩＧＨ領域の周波数領域を帯域制限させるＶＨＦＨフィルター１２と、ＵＨＦ領域をフィルターリングして、ＵＨＦ領域の周波数領域を帯域制限させるＵＨＦフィルター１３とを含むことが好ましい。このように、入力フィルター部１５は、ＶＨＦ  ＬＯＷ領域の周波数、ＶＨＦ  ＨＩＧＨ領域の周波数、ＵＨＦ領域の周波数、つまり、３バンドの周波数領域を各々出力する。
【００１９】
増幅部２０は、入力フィルター部１５から出力される信号を所定の増幅度によって増幅させて出力する機能部である。このような増幅部２０は、ＶＨＦＬフィルター１１から出力されるＶＨＦ  ＬＯＷ領域のＲＦ信号によって誘導される元の位相を有する第２信号及び前記第２信号の反転位相を有する第１信号をそれぞれ所定の増幅度によって増幅し、前記増幅された第１信号及び第２信号によって誘導される信号を、前記ＲＦ信号に対する増幅信号として出力する第１プッシュプル増幅部２１と、ＶＨＦＨフィルター１２から出力されるＶＨＦ  ＨＩＧＨ領域のＲＦ信号によって誘導される元の位相を有する第２信号及び前記第２信号の反転位相を有する第１信号をそれぞれ所定の増幅度によって増幅し、前記増幅された第１信号及び第２信号によって誘導される信号を、前記ＲＦ信号に対する増幅信号として出力する第２プッシュプル増幅部２２と、ＵＨＦフィルター１３から出力されるＵＨＦ領域のＲＦ信号によって誘導される元の位相を有する第２信号及び前記第２信号の反転位相を有する第１信号をそれぞれ所定の増幅度によって増幅し、前記増幅された第１信号及び第２信号によって誘導される信号を、前記ＲＦ信号に対する増幅信号として出力する第３プッシュプル増幅部２３とを含む。
【００２０】
ここで、第１プッシュプル増幅部２１、第２プッシュプル増幅部２２、及び第３プッシュプル増幅部２３は、相互同一の構造を有することが好ましく、増幅部２０の機能をより具体的に説明するために、図３を参照して第１プッシュプル増幅部２１を代表として詳細回路図について説明する。
【００２１】
図３に示されているように、第１プッシュプル増幅部２１は、ＶＨＦＬフィルター１１から出力されるＶＨＦ  ＬＯＷ領域のＲＦ信号を１次側に印加を受け、前記１次側に印加される前記ＲＦ信号によって誘導される第１信号及び第２信号を２次側に出力する第１トランスフォーマーＴ１と、前記第１信号をゲート端に入力を受け、所定の増幅度によって前記第１信号を増幅して出力する第１ＦＥＴ（ＦＥＴ１）と、前記第２信号をゲート端に入力を受け、所定の増幅度によって前記第２信号を増幅して出力する第２ＦＥＴ（ＦＥＴ２）と、第１ＦＥＴ（ＦＥＴ１）及び第２ＦＥＴ（ＦＥＴ２）で増幅された第１信号及び第２信号を１次側に印加を受け、前記１次側に印加される前記増幅された第１信号及び第２信号によって誘導される増幅信号のＲＦ’信号を２次側に出力する第２トランスフォーマーＴ２とを含む。
【００２２】
ここで、抵抗Ｒ１とＲ２は、第１ＦＥＴ（ＦＥＴ１）及び第２ＦＥＴ（ＦＥＴ２）端のクロスオーバーディストーションを防止するためにバイアス電圧を提供する役割を果たす。
【００２３】
そのため、ＶＨＦＬフィルター１１から出力されるＶＨＦ  ＬＯＷ領域のＲＦ信号が第１トランスフォーマーＴ１の１次側に印加されれば、印加される前記ＲＦ信号の周波数によって誘導される第１信号及び第２信号が第１トランスフォーマーＴ１の２次側に出力される。この時、第１トランスフォーマーＴ１の誘導による第１信号は、前記ＲＦ信号の位相が１８０゜反転された位相を有するようになり、１８０゜反転位相を有する前記第１信号は第１ＦＥＴ（ＦＥＴ１）を通じて増幅されて出力される。また、第１トランスフォーマーＴ１の誘導による第２信号は、前記ＲＦ信号と同一の位相を有するようになり、同位相を有する前記第２信号は第２ＦＥＴ（ＦＥＴ２）を通じて増幅されて出力される。
【００２４】
このように、相互１８０゜反転位相を有するように誘導される第１信号及び第２信号は、それぞれ第２ＦＥＴ（ＦＥＴ２）及び第１ＦＥＴ（ＦＥＴ１）を通じて増幅され、それぞれ増幅された第１及び第２信号は第２トランスフォーマーＴ２の１次側に印加される。ここで、それぞれ増幅された第１及び第２信号は、第２トランスフォーマーＴ２の１次側に印加されながら、前記増幅された第１信号と第２信号のうちのいずれか一つが１８０゜位相反転されて相互合わせられる。  図３では、それぞれ増幅された第１及び第２信号が第２トランスフォーマーＴ２の１次側に印加されながら、前記増幅された第２信号が１８０゜位相反転されて前記第１信号と同位相になり、相互に同位相を有する増幅された第１及び第２信号によって第２トランスフォーマーＴ２の２次側に誘導された前記ＲＦ’信号が出力される。つまり、ＲＦ’信号は、ＶＨＦＬフィルター１１から出力されるＶＨＦ  ＬＯＷ領域のＲＦ信号を増幅した信号である。
【００２５】
結果的に、増幅部２２は、入力フィルター部１５から出力されるＲＦ信号によって誘導される相互に１８０゜位相反転された第１及び第２信号をそれぞれ増幅し、それぞれ増幅された第１及び第２信号のうちのいずれか一つをまた１８０゜反転させ、同位相を有するようになる増幅された第１及び第２信号によって増幅信号のＲＦ’信号を出力する。これによって、本発明の増幅部２０は、従来のように、単一増幅器（図１のＦ１）を利用してＲＦ信号を増幅させる時に発生する非線形性によるハーモニックス成分を效果的に除去することができる。
【００２６】
このように、本発明の第１プッシュプル増幅部２１によるＲＦ信号の増幅時、線形特性の改善を説明するための数式は、次の通りである。
【００２７】
まず、入力フィルター部１５から出力されるＲＦ信号は、第１トランスフォーマーＴ１の１次側に印加される入力信号Ｖｉであり、１次側の入力信号Ｖｉによって誘導される１８０゜反転位相を有する第１信号はＶｉ１であり、同位相を有する第２信号はＶｉ２であり、Ｖｉ１が第１ＦＥＴ（ＥＦＬ１）によってＶｏ１に増幅され、Ｖｉ２が第２ＦＥＴ（ＥＦＬ２）によってＶｏ２に増幅され、Ｖｏ１と位相反転されるＶｏ２が第２トランスフォーマーＴ２の１次側に印加されることによって、誘導／出力される２次側のＲＦ’信号がＶｏである（ここで、Ｖｍ、Ａ０、Ａ１、Ａ２…は定数である）。
【００２８】
つまり、前記の数式から分かるように、本発明の増幅部２０は、入力フィルター部１５から出力されるＲＦ信号Ｖｉによって誘導される相互１８０゜位相反転された第１信号Ｖｉ１及び第２信号Ｖｉ２をそれぞれ増幅し、それぞれ増幅された第１信号及び増幅後の位相反転（−）された第２信号によって誘導されるＲＦ’信号を出力することによって、信号歪曲の主な原因になる２次ハーモニックス成分を相殺させることができる。このように、増幅部２０は、入力フィルター部１５から出力される信号を、２次ハーモニックス成分を相殺させながら所定の増幅度によって増幅させて出力することによって、信号の歪曲を改善することができる。
【００２９】
ここで、第１ＦＥＴ（ＦＥＴ１）及び第２ＦＥＴ（ＦＥＴ２）は、前記所定の増幅度を調整するための所定のＡＧＣ信号を変換部４０から入力を受けるための第２ゲート端を含むデュアルゲートＦＥＴであることが好ましい。そのため、第１ＦＥＴ（ＦＥＴ１）及び第２ＦＥＴ（ＦＥＴ２）は、変換部４０から入力されるＡＧＣ信号による相異なる増幅度によって、入力フィルター部１５から入力されるＲＦ信号を異にし増幅することができる。
【００３０】
ここで、図２ではＶＨＦＬフィルター１１、ＶＨＦＨフィルター１２、及びＵＨＦフィルター１３の出力のそれぞれに第１プッシュプル増幅部２１、第２プッシュプル増幅部２２と、第３プッシュプル増幅部２３を備えたが、これは一実施例に過ぎない。つまり、ＶＨＦＬフィルター１１の出力にだけ第１プッシュプル増幅部２１を備え、ＶＨＦＨフィルター１２及びＵＨＦフィルター１３の出力には従来のような単一増幅器Ｆ２、Ｆ３を備えるなど、ＶＨＦＬフィルター１１、ＶＨＦＨフィルター１２、及びＵＨＦフィルター１３の少なくともいずれか一つの出力にプッシュプル増幅部２１または２２または２３が備えられることができる。
【００３１】
段間フィルター部３０は、増幅部２０から出力される前記増幅信号のうち、選択されたチャンネルの選択度を向上させるために、前記選択されたチャンネルに該当する放送信号の周波数をフィルターリングして出力する。このような段間フィルター部３０は、第１プッシュプル増幅部２１から出力される増幅信号をフィルターリングする第１段間同調フィルター３１と、第２プッシュプル増幅部２２から出力される増幅信号をフィルターリングする第２段間同調フィルター３２と、第３プッシュプル増幅部２３から出力される増幅信号をフィルターリングする第３段間同調フィルター３３とを含む。
【００３２】
ここで、入力フィルター部１５及び段間フィルター部３０は、トラッキングフィルター構造で構成され、チャンネル間の信号の強さの偏差がひどい環境で選択されたチャンネルの歪曲が比較的少なく、雑音指数特性に優れて、地上波放送信号の受信に適合した構造である。
【００３３】
変換部４０は、選択されたチャンネルに該当する放送信号を選局するように入力フィルター部１５及び段間同調部３０でフィルターリング信号を出力し、段間フィルター部３０でフィルタリングされた前記周波数の放送信号を所定の変換設定値によってＩＦ信号に変換する。この時、変換部４０は、前記変換設定値によって変換される前記ＩＦ信号が固定周波数を有するように、増幅部２０の増幅度を調整するためのＡＧＣ信号を各プッシュプル増幅部２１、２２、２３の第１ＦＥＴ（ＦＥＴ１）及び第２ＦＥＴ（ＦＥＴ２）の前記第２ゲート端に出力する。
【００３４】
上述したように、本発明によるチューナーは、地上波放送信号の受信に適合した構造であるシングルコンバージョン方式を支援しながら、信号の増幅時に増幅部２０の機能を通じて２次ハーモニックス成分を相殺させることで増幅の線形特性を改善することができる。そのため、本発明のチューナーは、安価のシングルコンバージョン方式のチューナーでありながら、増幅時の線形特性を改善することによって、地上波放送及びケーブル放送の受信感度いずれも満足させることができる。
【００３５】
ここで、上述した本発明のチューナーを含む放送処理装置について、図４を参照して説明する。説明に先立って、放送処理装置の一番代表的なテレビを例に挙げて、図４を通じて本発明の放送処理装置について説明する。
【００３６】
図４に示されているように、本発明のテレビ１００は、放送信号を受信するアンテナ８５と、放送信号を選局するチューナー５０と、チューナー５０から出力される放送信号を処理する放送信号処理部６０と、放送信号処理部６０から出力される放送信号を出力する放送出力部７０と、使用者の操作によって放送チャンネルを選択するための使用者入力部８０と、使用者入力部８０を通じてチャンネルが選択されれば、選択されたチャンネルの放送信号を選局し処理して放送出力部７０を通じて出力するようにチューナー５０及び放送信号処理部６０を制御するマイコン９０とを含む。
【００３７】
チューナー５０は、図２及び図３を通じて上述したような、増幅部２０を含むシングルコンバージョン方式のチューナーであって、地上波放送信号の受信に適合した構造のシングルコンバージョン方式を支援しながら、信号の増幅時に増幅部２０の機能を通じて２次ハーモニックス成分を相殺させて、増幅の線形特性を改善する構造的特徴を有する。このようなチューナー５０の詳細な説明は、図２及び図３を参照した上記の説明と同一であるので省略する。
【００３８】
放送信号処理部６０は、チューナー５０から出力される放送信号を放送出力部７０を通じて出力可能に処理する機能部である。このような放送信号処理部６０は、チューナー５０で選局された放送信号のＩＦ放送信号の入力を受け、該当 ＩＦ放送信号から所定の複合映像信号を復調して出力するＩＦ復調器（図示せず）と、ＩＦ復調器（図示せず）で復調された所定の複合映像信号から所定の輝図信号及び色差信号をそれぞれ分離して出力するビテオデコーダー（図示せず）とを含むことができる。ここで、テレビ１００がＤＴＶの場合、放送信号処理部６０は、デジタル放送信号を放送出力部７０を通じて出力可能に処理できるチャンネルデコーダー（図示せず）と、ＴＰデコーダー（図示せず）と、ビデオデコーダー（図示せず）とを含むこともできる。
【００３９】
放送出力部７０は、放送信号処理部６０から出力される放送信号による映像及びサウンドを出力するための機能部であって、映像を表示するディスプレー部７４と、サウンドを出力するスピーカー７２とを含むことが好ましい。
【００４０】
マイコン９０は、使用者入力部８０を通じてチャンネルが選択されれば、選択されたチャンネルの放送信号を選局するようにチューナー５０を制御し、チューナー５０から出力される放送信号を処理して放送出力部７０を通じて出力するように放送信号処理部６０を制御する。
【図面の簡単な説明】
【００４１】
【図１】従来の一般的なチューナーの回路図である。
【図２】本発明によるチューナーの制御ブロック図である。
【図３】図２による本発明のチューナーにおける増幅部の詳細回路図である。
【図４】図２のチューナーを含む本発明による放送処理装置の制御ブロック図である。
【符号の説明】
【００４２】
１１    ＶＨＦＬフィルター
１２    ＶＨＦＨフィルター
１３    ＵＨＦフィルター
１５    入力フィルター部
２０    増幅部
２１、２２、２３  第１、２、３プッシュプル増幅部
３０    段間フィルター部
４０    変換部
５０    チューナー
６０    放送信号処理部
７０    放送出力部
７２    スピーカー
７４    ディスプレー部
８０    使用者入力部
９０    マイコン
１００  テレビ
【図１】
2007020172.tif 000003
【図２】
2007020172.tif 000004
【図３】
2007020172.tif 000005
【図４】
2007020172.tif 000006